(57)【要約】【課題】全画素のデータ信号の印加時間を均一にし、画質を改善する液晶情事装置の提供。【解決手段】  行列状に配列された複数の画素を含む液晶表示板アセンブリと、液晶表示板アセンブリにゲート電圧を印加し前記画素にデータ信号を印加させるゲート駆動部と、階調信号に該当する階調電圧を選択して前記データ信号として前記画素に印加するデータ駆動部と、前記階調信号と前記階調信号を制御する制御信号を前記ゲート駆動部及びデータ駆動部に供給する信号制御部と、を含む液晶表示装置を提供する。前記データ信号はノーマルデータ信号及びブラックデータ信号を含み、前記データ駆動部は、前記信号制御部の制御に従って前記画素に対し前記ノーマルデータ信号と前記ブラックデータ信号とを交互に印加し、隣接するフレームにおける前記ノーマルデータの走査方向が互いに逆である。従って、全ての画素のノーマルデータ保持時間とブラックデータ保持時間とがそれぞれ一定になるので、液晶パネル全体の画質状態が均一となり、画質が改善される。
2005532590.tif 000002
【特許請求の範囲】
【請求項１】
行列状に配列された複数の画素を含む液晶表示板アセンブリと、
前記画素にゲート信号を印加するゲート駆動部と、
階調信号に該当する階調信号を選択して、前記データ信号として前記画素に印加するデータ駆動部と、
前記階調信号及び前記階調信号を制御する制御信号を前記ゲート駆動部及びデータ駆動部に供給する信号制御部と、
を含み、
前記データ信号はノーマルデータ信号とブラックデータ信号とを含み、
前記データ駆動部は、前記信号制御部の制御に従って前記画素に対し前記ノーマルデータ信号と前記ブラックデータ信号とを交互に印加し、隣接するフレームにおける前記ノーマルデータの走査方向が互いに逆であることを特徴とする、液晶表示装置。
【請求項２】
前記ブラックデータ信号は同時に印加されることを特徴とする、請求項１に記載の液晶表示装置。
【請求項３】
複数のゲート線及び複数のデータ線に各々連結されたスイッチング素子と、行列状に配列された複数の画素を各々具備する複数の走査領域と、を含む液晶表示板アセンブリと、
前記ゲート線に前記スイッチング素子をオンさせる電圧を印加するゲート駆動部と、
階調信号に該当する階調電圧を選択して、前記データ線を通じて前記データ信号として前記画素に前記階調電圧を印加するデータ駆動部と、
前記階調信号及び前記階調信号を制御する制御信号を前記ゲート駆動部及びデータ駆動部に供給する信号制御部と、
を含み、
前記ゲート駆動部は複数のゲート駆動装置を含み、
前記各ゲート駆動装置は前記複数のゲート線に連結され、
互いに異なる走査領域の画素は、前記ゲート線を通じて互いに異なるゲート駆動装置に連結され、
前記データ信号は、ノーマルデータ信号とブラックデータ信号とを含み、
前記各走査領域には前記ノーマルデータ信号と前記ブラックデータ信号とが交互に印加され、前記複数の走査領域のいずれか一つの領域に対する前記ノーマルデータ信号の印加が完了すれば、前記いずれか一つの走査領域を除いた残りの走査領域のいずれか一つに前記ブラックデータ信号が印加され、
１フレーム期間中に前記複数の走査領域に対する走査動作が完了すれば、次のフレーム期間中に前記複数の走査領域内における走査方向は直前フレームの走査方向と互いに逆であることを特徴とする、液晶表示装置。
【請求項４】
前記ブラックデータ信号は、一つの走査領域の全画素に対して同時に印加されることを特徴とする、請求項３に記載の液晶表示装置。
【請求項５】
前記複数の走査領域のいずれか一つの走査領域を走査する間に、少なくとも一つ以上の走査領域では前の段階で印加された前記ブラックデータ信号が印加された状態を保持することを特徴とする、請求項３に記載の液晶表示装置。
【請求項６】
隣接するフレームでは、前記ノーマルデータ信号の極性は互いに逆であることを特徴とする、請求項１または請求項３に記載の液晶表示装置。
【請求項７】
前記液晶表示装置はＯＣＢモードであることを特徴とする、請求項１または請求項３に記載の液晶表示装置。
【請求項８】
行列状に配列され液晶物質で満たされた液晶キャパシタを各々有する複数の画素を具備する液晶表示装置駆動方法であって、
前記複数の画素に対して第１方向にノーマルデータ電圧を印加する第１データ電圧印加段階と、
前記複数の画素に対してブラックデータ電圧を印加する第２データ電圧印加段階と、
前記複数の画素に対して第２方向に前記ノーマルデータ電圧を印加する第３データ電圧印加段階と、
前記複数の画素に対してブラックデータ電圧を印加する第４データ電圧印加段階と、
を含むことを特徴とする、液晶表示装置駆動方法。
【請求項９】
前記第１データ電圧印加段階で印加されるノーマルデータ電圧と、前記第３データ電圧印加段階で印加されるノーマルノーマルデータ電圧の極性は、互いに逆であることを特徴とする、請求項８に記載の液晶表示装置駆動方法。
【請求項１０】
前記第２データ電圧印加段階で印加されるブラックデータ電圧と、前記第４データ電圧印加段階で印加されるブラックデータ電圧の極性は、互いに逆であることを特徴とする、請求項８に記載の液晶表示装置駆動方法。
【請求項１１】
行列状に配列され液晶物質で満たされた液晶キャパシタを各々有する複数の画素及び前記画素を含む複数の領域を有する液晶表示装置駆動方法であって、
前記複数の領域のうちの第１領域に対して、第１方向にノーマルデータ電圧を印加する第１データ電圧印加段階と、
前記第１領域の次の第２領域にブラックデータ電圧を印加する第２データ電圧印加段階と、
前記第２領域に対して、第１方向にノーマルデータ電圧を印加する第３データ電圧印加段階と、
前記第１データ電圧印加段階乃至第３データ電圧印加段階を全ての領域に対して繰り返す第１反復段階と、
前記第１領域に対して、第２方向に前記ノーマルデータ電圧を印加する第４データ電圧印加段階と、
前記第２領域にブラックデータ電圧を印加する第５データ電圧印加段階と、
前記第２領域に対して、前記第２方向に前記ノーマルデータ電圧を印加する第６データ電圧印加段階と、
前記第４データ電圧印加段階乃至第６データ電圧印加段階を全ての領域に対して繰り返す第２反復段階と、
を含むことを特徴とする、液晶表示装置駆動方法。
【請求項１２】
前記第１方向は前記第２方向と互いに逆であることを特徴とする、請求項８または請求項１１に記載の液晶表示装置駆動方法。
【請求項１３】
複数の画素を含み、
前記複数の画素にはノーマルデータ信号とブラックデータ信号とが交互に印加され、
各画素に対し、隣接する二つのフレームのノーマルデータ保持時間の平均値が一定であることを特徴とする、液晶表示装置。
【請求項１４】
隣接する二つのフレームの走査方向が互いに逆であることを特徴とする、液晶表示装置。
【発明の詳細な説明】
【技術分野】
【０００１】
本発明は、液晶表示装置及びその駆動方法に関する。
【背景技術】
【０００２】
一般的な液晶表示装置は、二つの表示板とその間に介在している誘電率異方性を有する液晶層を含む。液晶層に電界を印加し、この電界の強度を調節して液晶層を通過する光の透過率を調節することによって所望の画像を得る。このような液晶表示装置は、携帯が便利な平板表示装置（ＦＰＤ）の代表的なものであって、この中でも薄膜トランジスタ（ＴＦＴ）をスイッチング素子に用いる薄膜トランジスタ液晶表示装置（ＴＦＴ-ＬＣＤ）が主に利用されている。
【０００３】
このような薄膜トランジスタ液晶表示装置では、液晶分子自体の応答速度が遅いために画質が不鮮明でぼやけてしまう現象が生じる。この問題を解決するために、短時間でブラック画面を挿入するインパルス駆動方式が開発された。
【０００４】
インパルス駆動方式には、一定の周期でバックライトを点滅させて画面全体をブラックにする方式と、一定の周期でブラックデータ信号を画素に印加する方式と、がある。  しかし、前記のような方式は、バックライトや液晶の応答速度が遅いために、画面の残像やフリッカー現象などが生じ、画質を低下させる問題がある。特に、後者の場合、１フレーム期間中にデータ信号の印加時間が減る問題がある。
【発明の開示】
【発明が解決しようとする課題】
【０００５】
本発明が解決しようとする技術的課題は、このような従来の問題点を解決するためのもので、全画素のデータ信号の印加時間を均一にし、画質を改善することである。
【課題を解決するための手段】
【０００６】
本発明の課題を解決するための一つの液晶表示装置は、行列状に配列された複数の画素を含む液晶表示板アセンブリ、前記画素にゲート信号を印加するゲート駆動部、階調信号に該当する階調電圧を選択して、前記データ信号として前記画素に印加するデータ駆動部、そして、前記階調信号と前記階調信号を制御する制御信号を前記ゲート駆動部及びデータ駆動部に供給する信号制御部とを含み、データ信号は、ノーマルデータ信号とブラックデータ信号とを含み、前記データ駆動部は、前記信号制御部の制御に従って前記画素に対して前記ノーマルデータ信号と前記ブラックデータ信号とを交互に印加し、隣接するフレームにおける前記ノーマルデータ信号の走査方向が互いに逆方向である。この時、ブラックデータ信号は同時に画素に印加される。
【０００７】
本発明の課題を解決するための他の液晶表示装置において、複数のゲート線と複数のデータ線に各々連結されたスイッチング素子を具備し、行列状に配列された複数の画素を各々具備する複数の走査領域を含む液晶表示板アセンブリ、前記ゲート線に前記スイッチング素子をオンさせる電圧を印加するゲート駆動部、階調信号に該当する階調電圧を選択して、前記データ線を通じて前記データ信号として前記画素に印加するデータ駆動部、そして、前記階調信号と前記階調信号を制御する制御信号を前記ゲート駆動部及びデータ駆動部に供給する信号制御部を含む。前記ゲート駆動部は、複数のゲート駆動装置を含む。前記各ゲート駆動装置は、前記複数のゲート線に連結され、互いに異なる走査領域の画素は、前記ゲート線を通じて互いに異なるゲート駆動装置に連結される。前記データ信号は、ノーマルデータ信号とブラックデータ信号とを含み、各々の前記走査領域には前記ノーマ
ルデータ信号と前記ブラックデータ信号とが交互に印加され、前記複数の走査領域のいずれか一つの走査領域に対する前記ノーマルデータ信号の印加が完了すれば、前記いずれか一つの走査領域を除く残りの走査領域のうちの一つに前記ブラックデータ信号が印加され、１フレーム期間中に前記複数の走査領域に対する走査動作が完了すれば、次のフレーム期間中に前記複数の走査領域内における走査方向は直前フレームの走査領域における走査方向とは逆方向である。
【０００８】
ここで、ブラックデータ信号は、一つの走査領域の全ての画素に対して同時に印加される。
【０００９】
複数の領域のいずれか一つの走査領域を走査する間は、少なくとも一つ以上の走査領域において前の段階で印加された前記ブラックデータ信号が印加される状態を保持することが好ましい。この時、隣接する前記ノーマルデータフレームの前記ノーマルデータ信号の極性は互いに逆であることが好ましい。
【００１０】
液晶表示装置はＯＣＢモード液晶表示装置でも良い。
【００１１】
本発明の課題を解決するために、行列状に配列され液晶物質で満たされた液晶キャパシタを各々有する複数の画素を含む液晶表示装置を駆動する方法は、前記複数の画素に第１方向にノーマルデータ電圧を印加する第１データ電圧印加段階、前記複数の画素にブラックデータ電圧を印加する第２データ電圧印加段階、前記複数の画素に第２方向に前記ノーマルデータ電圧を印加する第３データ電圧印加段階、及び、前記複数の画素にブラックデータ電圧を印加する第４データ電圧印加段階を含む。
【００１２】
前記第１データ電圧印加段階で印加されるノーマルデータ電圧と、前記第３データ電圧印加段階で印加されるノーマルデータ電圧の極性は互いに逆であることが望ましく、前記第２データ電圧印加段階で印加されるブラックデータ電圧と、前記第４データ電圧印加段階で印加されるブラックデータ電圧の極性は互いに逆であることが望ましい。
【００１３】
本発明の課題を解決するために、行列状に配列され液晶物質で満たされた液晶キャパシタを各々有する複数の画素を具備し、前記画素を含む複数の画素領域を有する液晶表示装置の駆動方法は、前記複数の領域のうちの第１領域に対して第１方向にノーマルデータ電圧を印加する第１データ電圧印加段階と、前記第１領域の後の第２領域にブラックデータ電圧を印加する第２データ電圧印加段階と、前記第２領域に対して第１方向にノーマルデータ電圧を印加する第３データ電圧印加段階と、前記第１データ電圧印加段階乃至第３データ電圧印加段階を全領域に対して繰り返す第１反復段階と、前記第１領域に対して第２方向に前記ノーマルデータ電圧を印加する第４データ電圧印加段階と、前記第２領域にブラックデータ電圧を印加する第５データ電圧印加段階と、前記第２領域に対して前記第２方向に前記ノーマルデータ電圧を印加する第６データ電圧印加段階と、前記第４データ電圧印加段階乃至第６データ電圧印加段階を全領域に対して繰り返す第２反復段階と、を含む。
【００１４】
この時、第１方向は前記第２方向と逆であることが望ましい。
【００１５】
本発明の課題を解決するために、複数の画素を含む液晶表示装置は、前記複数の画素にはノーマルデータ信号とブラックデータ信号とが交互に印加され、各画素に対し隣接する二つのフレームのノーマルデータ保持時間の平均値が一定である。この時、隣接する二つのフレームの走査方向は互いに逆方向であることが好ましい。
【発明の効果】
【００１６】
ブラックデータ信号を利用するインパルス駆動時に、フレームの走査方向を直前フレームの走査方向と逆に実施して、全ての画素のノーマルデータ保持時間とブラックデータ保持時間とが各々一定となる。したがって、液晶パネル全体の画質状態が均一となり、画質が改善される。
【００１７】
また、液晶表示板アセンブリを複数の領域に仮想分割し、各領域における走査動作を直前フレームの走査動作と逆方向に実施するので、液晶表示板アセンブリの中央部と周縁部の各画素に対するノーマルデータ保持時間とブラックデータ保持時間の差を減らすことができるので、フリッカー現象を防止し、液晶パネル全体の画質が改善される。
【発明を実施するための最良の形態】
【００１８】
添付した図面を参考にして本発明の実施例について本発明の属する技術分野における通常の知識を有する者が容易に実施できるように詳細に説明する。しかし、本発明は様々な形態で実現されることができ、ここに説明する実施例に限定されるわけではない。
【００１９】
以下、本発明の実施例による液晶表示装置に関して説明する。
【００２０】
図１は本発明の実施例による液晶表示装置のブロック図である。図２は本発明の一実施例による液晶表示装置の一つの画素に対する等価回路図である。
【００２１】
図１に示すように、本発明による液晶表示装置は、液晶表示板アセンブリ（以下、液晶表示板と言う）３００、液晶表示板３００に連結されたゲート駆動部４２０及びデータ駆動部４３０、ゲート駆動部４２０に連結された駆動電圧生成部５６０、データ駆動部４３０に連結された階調電圧生成部５７０、及びこれらを制御する信号制御部５５０を含む。
【００２２】
液晶表示板３００は、等価回路的には、複数の信号線（G１-Gn、D１-Dm）とこれに連結された複数の画素を含む。各画素は、信号線（G１-Gn、D１-Dm）に連結されたスイッチング素子（Q）と、スイッチング素子（Ｑ）に連結された液晶キャパシタ（Clc）及び保持キャパシタ（Cst）を含む。信号線（G１-Gn、D１-Dm）は、走査信号またはゲート信号を伝達し、行方向に延長する複数の走査信号線またはゲート線（G１-Gn）と、画像信号またはデータ信号を伝達し、列方向に延長するデータ線（D１-Dm）を含む。スイッチング素子（Q）は三端子素子であって、その制御端子はゲート線（G１-Gn）に連結され、入力端子はデータ線（D１-Dm）に連結され、出力端子は液晶キャパシタ（Clc）及び保持キャパシタ（Cst）の一つの端子に連結されている。
【００２３】
液晶キャパシタ（Clc）は、スイッチング素子（Q）の出力端子と共通電圧（Vcom）または基準電圧に連結されている。保持キャパシタ（Cst）の別の端子は、他の電圧、例えば基準電圧に連結されている。しかし、保持蓄電器（Cst）の他の端子は、すぐ上のゲート線（以下、前段ゲート線と言う）に連結されることができる。前者の連結方法は独立配線方式といい、後者の連結方法は前段ゲート方式という。
【００２４】
一方、液晶表示板アセンブリ３００を構造的に見ると、図２のように概略的に示すことができる。便宜上、図２では一つの画素のみを示した。
【００２５】
図２に示すように、液晶表示板アセンブリ３００は互いに対向する下部表示板１００及び上部表示板２００と、両者間に介在する液晶層３と、を含む。下部表示板１００には、ゲート線（Gi-１、Gi）及びデータ線（Dj）と、スイッチング素子（Q）及び保持キャパシタ（Cst）が具備されている。液晶キャパシタ（Clc）は、下部表示板１００の画素電極１９０と上部表示板２００の基準電極２７０とを二つの端子とし、二つの電極１９０、２７０の間の液晶層３は液晶キャパシタ（Clc）の誘電体として機能する。本実施例の液晶層
３は、例えばＯＣＢ（optically compensated bend）モードとされることができるが、この場合、液晶分子は下部表示板１００と上部表示板２００との中間に位置する面に対して対称に方向が変化する、いわゆるベンド配列で配向されている。ＯＣＢモード液晶表示装置は、応答速度及び狭い視野角を改善するためのもので、液晶分子のベンド配列を採用しており、特定電圧以下ではベンド配向が崩れてしまうため、ベンド配向が崩れないような臨界電圧（Vc）以上の電圧でのみ駆動される。
【００２６】
画素電極１９０はスイッチング素子（Q）に連結され、基準電極２７０は上部表示板２００の全面に形成され共通電圧（Vcom）に連結される。
【００２７】
ここで、液晶層３の液晶分子は、画素電極１９０及び基準電極２７０により発生する電場の変化に応じてその配列を変える。これにより、液晶層３を通過する光の偏光が変化する。このような偏光の変化は、表示板１００、２００に付着された少なくとも１つの偏光子（図示せず）による光透過率の変化として現れる。
【００２８】
さらに、基準電圧の印加を受ける別個の配線が下部表示板１００に具備され、画素電極１９０と重なることによって保持キャパシタ（Cst）を形成する。前段ゲート方式の場合、画素電極１９０は絶縁体を媒介として前段ゲート線（Gi-１）と重なることによって、画素電極１９０は、前段ゲート線（Gi-１）と共に保持キャパシタ（Cst）の二つの端子を形成する。
【００２９】
図２はスイッチング素子（Q）の例であるＭＯＳトランジスタを示している。このＭＯＳトランジスタは、実際の工程において非晶質シリコンまたは多結晶シリコンをチャンネル層とする薄膜トランジスタで形成される。
【００３０】
図２とは異なって、基準電極２７０が下部表示板１００に具備されることもある。この場合、二つの電極１９０、２７０は全て線形に形成される。
【００３１】
一方、カラーディスプレイを実現するためには各画素がカラーを表示できることが要求される。これは、画素電極１９０に対応する領域に赤色、緑色、及び青色のカラーフィルタ２３０を具備することによって可能である。カラーフィルタ２３０は、図２に示すように、主に上部表示板２００の該当領域に形成されるが、下部表示板１００の画素電極１９０の上または下に形成することもできる。
【００３２】
再び図１を参照すれば、ゲート駆動部４２０及びデータ駆動部４３０は、各々スキャン駆動部及びソース駆動部とも呼ばれ、複数のゲート駆動ＩＣ及びデータ駆動ＩＣを含む。各ＩＣは、液晶表示板アセンブリ３００の外部に別途に位置したり、液晶表示板アセンブリ３００上に配置できる。また、各ＩＣは、信号線（G１-Gn、D１-Dm）及び薄膜トランジスタ（Q）と同じ工程によって液晶表示板アセンブリ３００上に配置することもできる。図３aで、ゲート駆動部４２０は、４個のゲート駆動ＩＣ４２１〜４２４を含み、このゲート駆動ＩＣ４２１〜４２４は、可撓性回路基板上にチップ状に形成されている。また、各々のゲート駆動ＩＣ４２１〜４２４は、図３bに示すように、複数の配線５００を通じて複数のゲート線に連結されている。即ち、４個のゲート駆動ＩＣ４１２〜４２４は、複数の配線５００を通じて全てのゲート線（G１-Gn）に連結される。
【００３３】
ゲート駆動部４２０の各ゲート駆動ＩＣ４２１〜４２４は、液晶表示板アセンブリ３００のゲート線（G１-Gn）に連結されて、駆動電圧生成部５６０からのゲートオン電圧（Von）とゲートオフ電圧（Voff）の組み合わせからなるゲート信号をゲート線（G１-Gn）に印加する。本発明の実施例では、ゲート信号は、ゲート駆動部４２０のゲート駆動ＩＣ４２１〜４２４に連結されたゲート線（G１-Gn）を通じて印加される。
【００３４】
データ駆動部４３０は、液晶表示板アセンブリ３００のデータ線（D１-Dm）に連結されており、階調電圧生成部５７０からの階調電圧を選択して、データ信号としてデータ線（D１-Dm）に印加する。
【００３５】
このようなゲート駆動部４２０、データ駆動部４３０及び駆動電圧生成部５６０は、液晶表示板アセンブリ３００の外部に存在し、これらに連結された信号制御部４００によって制御される。以下、これについて詳細に説明する。
【００３６】
信号制御部５５０は、外部のグラフィック制御部（図示せず）からＲＧＢ階調信号（R、G、B）及びその表示を制御する制御入力信号、例えば垂直同期信号（Vsync）と水平同期信号（Hsync）、メインクロック（CLK）、データイネーブル信号（DE）などの提供を受ける。信号制御部５５０は、制御入力信号に基づいてゲート制御信号及びデータ制御信号を生成し、階調信号（R、G、B）を液晶表示板３００の動作に合わせて適切に処理した後、ゲート制御信号をゲート駆動部４２０に送り、データ制御信号及び処理した階調信号（R´、G´、B´）はデータ駆動部４３０に送る。
【００３７】
ゲート制御信号は、ゲートオンパルス（ゲート信号のハイ区間）の出力開始を指示する垂直同期開始信号（STV）、ゲートオンパルスの出力期間を制御するゲートクロック信号（CPV）及びゲートオンパルスの幅を定義する出力イネーブル信号（OE）を含む。このゲート制御信号のうち、出力イネーブル信号（OE）及びゲートクロック信号（CPV）は、駆動電圧生成部５６０に供給される。データ制御信号は、階調信号の入力開始を指示する水平同期開始信号（STH）とデータ線に該当するデータ電圧の印加を指示するロード信号（LOADまたはTP）、データ電圧の極性を反転する反転制御信号（RVS）及びデータクロック信号（HCLK）を含む。
【００３８】
ゲート駆動部４２０は、信号制御部５５０からのゲート制御信号に従ってゲートオンパルスを順次にゲート線（G１-Gn）に印加し、このゲート線（G１-Gn）に連結されたスイッチング素子（Q）を順次にオンさせる。データ駆動部４３０は、信号制御部５５０からのデータ制御信号に従い、階調信号（R´、G´、B´）に対応する階調電圧生成部５７０からのアナログ電圧をデータ信号として当該データ線（D１-Dm）に供給する。このとき、データ線（D１-Dm）に供給されたデータ信号は、オンされたスイッチング素子（Q）を通じて当該画素に印加される。このような方法で、１フレーム期間中に全てのゲート線（G１-Gn）に対して順次にゲートオンパルスを印加して、全ての画素行にデータ信号を印加する。１フレームに該当する全ての行の画素にデータ信号が印加された後、反転制御信号（RVS）が供給されれば、次のフレームに該当する全ての行のデータ信号の極性が変わる。なお、本発明の実施例によれば、各画素にノーマルデータ信号（N）とブラックデータ信号（B）とを交互に印加する。
【００３９】
以下、図４及び図５を参照して、本発明の実施例によるインパルス駆動方法についてより詳細に説明する。
【００４０】
図４は本発明の一実施例によるインパルス駆動方法を示す図面である。図５は、図４の駆動方法によって印加されるゲート信号及びデータ信号に対する波形図である。
【００４１】
本実施例のインパルス駆動方法は、１フレームのノーマルデータ信号Ｎが画素に印加された後、全てのゲート線（G１-Gn）にゲートオン電圧（Von）を印加してスイッチング素子（Q）をオンさせて、予め定められた時間の間に全ての画素にブラックデータ（Ｂ）を印加する方法である。走査方向は、各フレームに２択的に行われる。即ち、走査方向は、上方から下方へ、そして下方から上方へと交互に行う。
【００４２】
図４aに示すように、第１フレームの場合、第１ゲート線（G１）から最後のゲート線（Gn）にゲートオン電圧（Von）を順次に印加し、階調信号（R´、G´、B´）に該当するノーマルデータ信号（N）を全ての画素に印加する。次に、図４bに示すように、全てのゲート線（G１-Gn）にゲートオン電圧（Von）を同時に印加し、データ線（D１-Dm）にブラックデータ信号（B）を印加し、液晶表示板アセンブリ３００の全体をブラック状態で表示する。各画素に印加されたノーマルデータ信号（N）は、ブラックデータ信号（B）が印加されるまで保持されるので、ノーマルデータの保持時間は、第１行から最後の行に行くほど徐々に減少する。
【００４３】
第２フレームでは、第１フレームとは逆に最後の行から第１行に順次にノーマルデータ信号（N）を印加する（図４c）。その後、再び全てのゲート線（G１-Gn）にゲートオン電圧（Von）を同時に印加し、データ線（D１-Dm）を通じてすべての画素にブラックデータ信号（B）を印加する（図４d）。このようにすれば、ノーマルデータの保持時間は、第１行から最後の行に行くほど徐々に増加する。よって、二つのフレームの期間中、各画素のノーマルデータ保持時間を平均すれば、全て同じになる。
【００４４】
図４e及び図４fに示すように、図４a及び図４bと同じような方法でノーマルデータ信号（N）及びブラックデータ信号（B）を印加する過程を反復する。
【００４５】
更に、本発明では、各フレームごとにノーマルデータ信号（N）の極性が反転し、また、各フレームごとにブラックデータ信号（B）の極性も反転する。例えば、図４aのように“＋”の極性のノーマルデータ信号（N）を印加すると、図４cのように“−”の極性のノーマルデータ信号（N）を印加し、図４eのように再び“＋”の極性のノーマルデータ信号（N）を印加する。同様に、ブラックデータ信号（B）に対しても、例えば図４bにおいて“＋”の極性のブラックデータ信号（B）を印加すれば、図４dのように“−”の極性のブラックデータ信号（B）を印加し、再び図４fのように“＋”の極性のブラックデータ信号（B）を印加する。
【００４６】
以下、図６乃至図９を参照して、本発明の実施例によるインパルス方式の液晶表示装置駆動方法について説明する。
【００４７】
図６は本発明の他の実施例による液晶表示装置の駆動方法で、第１フレームにおける走査過程を示す図面であり、図７は図６に示す第１フレームにおけるゲート信号及びデータ信号を示す波形図である。
【００４８】
図８は本発明の他の実施例による液晶表示装置の駆動方法で、第２フレームにおける走査過程を示す図面であり、図９は図８に示す第２フレームにおけるゲート信号及びデータ信号を示す波形図である。
【００４９】
まず、説明の便宜のために、図３に示されるゲート駆動ＩＣ４２１〜４２４との連結関係に基づいて、すべてのゲート線（G１-Gn）を４つのゲート線組（G１１-G１i、G２１-G２i、G３１-G３i、G４１-G４i）に分ける。即ち、各ゲート線組（G１１-G１i、G２１-G２i、G３１-G３i、G４１-G４i）のゲート線は、対応するゲート駆動ＩＣ４２１〜４２４にのみ連結される。また、画素を４つのゲート線組（G１１-G１i、G２１-G２i、G３１-G３i、G４１-G４i）との連結関係に基づいて、４個の仮想領域３００１〜３００４に分ける。即ち、互いに異なる仮想領域３００１〜３００４の画素は、互いに異なるゲート線組（G１１-G１i、G２１-G２i、G３１-G３i、G４１-G４i）に連結され、これによって、互いに異なるゲート駆動ＩＣ４２１〜４２４に連結される。
【００５０】
まず、図６aに示すように、第２領域３００２の全ゲート線（G２１-G２i）にゲートオン電圧（Von）を同時に印加し、データ線（D１-Dm）を通じてブラックデータ信号（B）を印加する。この時、他の領域の画素では直前に印加されたデータ信号が保持される。
【００５１】
次に、図６bに示すように、第１領域３００１を上方から下方に走査してノーマルデータ信号（N）を印加する。この時、第２領域３００２では、前の段階で印加されたブラックデータ信号（B）が引き続き保持される。
【００５２】
次に、図６cに示すように、第３ゲート駆動ＩＣ４２３と連結された全てのゲート線（G３１-G３i）にゲートオン電圧（Von）を同時に印加し、第３領域３００３にブラックデータ信号（B）を印加する。この時、第１領域３００１ではノーマルデータ信号（N）が、第２領域３００２ではブラックデータ信号（B）がそれぞれ保持される。
【００５３】
図６dに示すように、第２ゲート駆動ＩＣ４２２と連結された第２領域３００２に対し、上方から下方に走査動作を行いノーマルデータ信号（N）を印加する。この時、第１領域３００１の画素にはノーマルデータ信号（N）が、第３領域３００３の画素にはブラックデータ信号（B）がそれぞれ保持される。
【００５４】
次に、図６eに示すように、第４ゲート駆動ＩＣ４２４に連結された第４領域３００４の全ゲート線（G４１-G４i）にゲートオン電圧（Von）を同時に印加した後、ブラックデータ信号（B）を画素に印加し、第４領域３００４をブラック状態にする。この時、第１及び第２領域３００１、３００２ではノーマルデータ信号（N）を、第３領域３００３ではブラックデータ信号（B）をそれぞれ保持している。
【００５５】
図６fに示すように、第３ゲート駆動ＩＣ４２３と連結されゲート線（G３１-G３i）に連結された第３領域３００３を上方から下方に順次に走査してノーマルデータ信号（N）を印加する。この時、第１及び第２領域３００１、３００２ではノーマルデータ信号（N）を、第４領域３００４ではブラックデータ信号（B）をそれぞれ保持している。
【００５６】
図６gに示すように、第１ゲート駆動ＩＣ４２１と連結された第１領域３００１のゲート線（G１１-G１i）にゲートオン電圧（Von）を同時に印加し、ブラックデータ信号（B）を印加して、第１領域３００１をブラック状態にする。この時、第２及び第３領域３００２、３００３ではノーマルデータ信号(N)を保持し、第４領域３００４ではブラックデータ信号（B）をそれぞれ保持している。
【００５７】
最後に、図６hに示すように、第４ゲート駆動ＩＣ４２４と連結されゲート線（G４１-G４i）に連結された第４領域３００４を上方から下方に走査してノーマルデータ信号（N）を印加する。この時、第１領域３００１はブラックデータ信号（B）を、第２及び第３領域３００２、３００３はノーマルデータ信号（N）をそれぞれ保持している。
【００５８】
このような方法により１フレームを完了し、次のフレームを開始する。各領域３００１〜３００４内における走査方向は、直前フレームの走査方向と逆方向、つまり下方から上方に順次に行われる。
【００５９】
この時、反転制御信号（RVS）がデータ駆動部４３０に印加され、ノーマルデータ信号（N）とブラックデータ信号（B）との極性が変わる。
【００６０】
以下、図８、図９を参照して、次のフレームの走査動作を詳細に説明する。
【００６１】
次のフレームの走査動作は、直前フレームのように、第１領域３００１から最後の領域
である第４領域３００４に順次に実施されるが、各領域３００１〜３００４における走査方向が下方から上方に行われる。この点を除くと、図６を参照して説明した動作と同様であるので、詳細な説明は省略する。
【００６２】
本実施例で、ブラックデータ信号（B）が保持される領域を二つにしたのは、インパルス駆動方式の効果を上げるためであって、一つや三つであっても良い。しかし、全表示領域の５０％以上の面積においてブラックデータ信号が保持されることが好ましい。
【００６３】
また、本発明の実施例で、ゲート駆動部４２０は４個のゲート駆動ＩＣ４２１〜４２４を備えているが、ゲート駆動ＩＣの数も変更できる。そして、一つの領域を一つのゲート駆動ＩＣに対応させて分けているが、これに限定されず、二つ以上のゲートＩＣに対応させて分けることもできる。
【００６４】
このように、ブラックデータ信号を利用するインパルス駆動時に、フレームの走査方向を直前フレームでの走査方向と逆に実施し、全ての画素のノーマルデータ保持時間とブラックデータ保持時間とが各々一定になる。したがって、液晶パネル全体の画質状態が均一となり、画質が改善される。
【００６５】
また、液晶表示板アセンブリを複数の領域に仮想分割し、各領域における走査動作を直前フレームでの走査動作と逆方向に実施するので、液晶表示板アセンブリの中央部と周縁部の各画素に対するノーマルデータ保持時間とブラックデータ保持時間との差を減らすことができるので、フリッカー現象を防止し、液晶パネル全体の画質が改善される。
【００６６】
以上、本発明の好ましい実施例について詳細に説明したが、本発明の権利範囲はこれに限定されず、特許請求の範囲で定義している本発明の基本概念を利用した当業者の様々な変形及び改良形態も本発明の権利範囲に属するものである。
【図面の簡単な説明】
【００６７】
【図１】本発明の一実施例による液晶表示装置のブロック図。
【図２】本発明の一実施例による液晶表示装置の一つの画素に対する等価回路図。
【図３ａ】本発明の一実施例によるゲート駆動部の詳細ブロック図である。
【図３ｂ】本発明の一実施例によるゲート駆動ＩＣと液晶表示板アセンブリ間の連結関係を示した図。
【図４】本発明の一実施例によるインパルス駆動方法を示した図。
【図５】図４に示す駆動方法によって印加されるゲート信号及びデータ信号における波形図。
【図６】本発明の他の実施例による液晶表示装置の駆動方法で、第１フレームにおける走査過程を示した図。
【図７】図６に示す第１フレームにおけるゲート信号及びデータ信号を示す波形図。
【図８】本発明の他の実施例による液晶表示装置の駆動方法で、第２フレームにおける走査過程を示した図。
【図９】図８に示す第２フレームにおけるゲート信号及びデータ信号を示す波形図。
【符号の説明】
【００６８】
３      液晶層
１００  下部表示板
１９０  画素電極
２００  上部表示板
２７０  基準電極
３００  液晶表示板アセンブリ
４２０  ゲート駆動部
４３０  データ駆動部
５００  配線
５５０  信号制御部
５６０  駆動電圧生成部
５７０  階調電圧生成部
【図１】
2005532590.tif 000003
【図２】
2005532590.tif 000004
2005532590.tif 000005
【図４】
2005532590.tif 000006
【図５】
2005532590.tif 000007
【図６】
2005532590.tif 000008
【図７】
2005532590.tif 000009
【図８】
2005532590.tif 000010
【図９】
2005532590.tif 000011
【国際調査報告】
2005532590.tif 000012
2005532590.tif 000013